(57)【特許請求の範囲】
【請求項１】
通信装置であって、
他の通信装置と無線通信を行う通信手段と、
前記他の通信装置に無線で送電する送電手段と、
前記送電手段による送電を制御する制御手段と、を有し、
前記通信手段が前記他の通信装置から無線通信を行わない期間を識別するための第１情報を受信した後であって、前記通信手段が前記他の通信装置との無線通信を停止し、かつ、前記他の通信装置が受電を必要としている状態の場合、前記制御手段は、前記第１情報に示される期間に従って、前記送電手段に前記他の通信装置に対する送電を行わせることを特徴とする通信装置。
【請求項２】
前記通信手段は、前記他の通信装置からのデータを受信することを特徴とする請求項１に記載の通信装置。
【請求項３】
前記通信手段は、前記他の通信装置から画像を受信することを特徴とする請求項１または２に記載の通信装置。
【請求項４】
画像を表示する表示手段を有し、
前記通信手段は、前記他の通信装置から画像を受信し、前記表示手段は該受信された画像を表示することを特徴とする請求項１乃至３の何れか１項に記載の通信装置。
【請求項５】
前記通信手段は、所定の伝送周期に従って、前記他の通信装置と無線通信を行い、
前記所定の伝送周期毎において、前記通信手段が前記他の通信装置と無線通信を行う期間と前記通信手段が前記他の通信装置と無線通信を行わない期間との和が一定であることを特徴とする請求項１乃至４の何れか１項に記載の通信装置。
【請求項６】
前記通信装置と前記他の通信装置とが近接されていることを検出する検出手段を有し、
前記通信装置と前記他の通信装置とが近接されていることが前記検出手段により検出された場合、前記通信手段は、前記他の通信装置と無線通信を行い、前記制御手段は、前記送電手段に前記他の通信装置に対する送電を行わせることを特徴とする請求項１乃至５の何れか１項に記載の通信装置。
【請求項７】
前記他の通信装置との通信が前記他の通信装置により始動された場合、前記通信手段は、前記第１情報を前記他の通信装置から受信することを特徴とする請求項１乃至６の何れか１項に記載の通信装置。
【請求項８】
前記通信装置が前記他の通信装置との通信を始動した場合に、前記通信手段は、前記他の通信装置と無線通信を行わない期間に関する第２情報を前記他の通信装置に送信し、
前記通信手段が前記第２情報を送信した後であって、前記他の通信装置が受電を必要としている状態の場合、前記制御手段は、前記第２情報に示される期間に従って、前記送電手段に前記他の通信装置に対する送電を行わせることを特徴とする請求項１乃至７の何れか１項に記載の通信装置。
【請求項９】
コイルと、
前記コイルを、前記通信手段または前記送電手段に排他的に接続させるセレクタとを有し、
前記通信手段が前記他の通信装置と無線通信を行う期間には、前記セレクタは、前記コイルを前記通信手段に接続させ、前記通信手段が前記他の通信装置と無線通信を行わない期間には、前記セレクタは、前記コイルを前記送電手段に接続させることを特徴とする請求項１乃至８の何れか１項に記載の通信装置。
【請求項１０】
前記通信手段は、ＮＦＣ（Ｎｅａｒ  Ｆｉｅｌｄ  Ｃｏｍｍｕｎｃａｔｉｏｎ）により無線通信を行うことを特徴とする請求項１乃至９の何れか１項に記載の通信装置。
【請求項１１】
通信装置の制御方法であって、
他の通信装置と無線通信を行う通信工程と、
前記通信工程において前記他の通信装置から無線通信を行わない期間を識別するための情報が受信された後であって、前記通信工程における前記他の通信装置との無線通信が停止され、かつ、前記他の通信装置が受電を必要としている状態の場合、前記情報に示される期間に従って、前記他の通信装置に対して無線による送電を行う送電工程とを有することを特徴とする通信装置の制御方法。
【請求項１２】
コンピュータを請求項１乃至１０のいずれか１項に記載の通信装置として動作させるためのプログラム。
【発明の詳細な説明】
【技術分野】
【０００１】
本発明は、無線により情報の伝送を行う情報伝送手段と、非接触で電力の伝達を行う電力伝達手段とを備える通信機器間において、情報伝送手段と電力伝達手段の動作を制御する制御技術に関するものである。
【背景技術】
【０００２】
電磁結合を用いて、通信機器間での近接無線通信を実行する技術として、従来より、ＲＦＩＤ技術や、ＮＦＣ技術等が知られており、これらの技術が情報伝送手段として利用されている。これらの技術は、例えば、ＪＩＳ規格  「Ｘ６３１９−４  ２００５年版」、ＩＳＯ規格  「ＩＳＯ  １８０９２：２００４」等に規定されている。ここで、ＲＦＩＤとは、Ｒａｄｉｏ  Ｆｒｅｑｕｅｎｃｙ  ＩＤｅｎｔｉｆｉｃａｔｉｏｎの略称であり、ＮＦＣとは、Ｎｅａｒ  Ｆｉｅｌｄ  Ｃｏｍｍｕｎｉｃａｔｉｏｎの略称である。
【０００３】
一方で、対向する機器内に配された二次電池（バッテリ）を充電すべく、電磁誘導起電力を用いて、該機器間で電力の伝達を行う非接触型の電力伝達手段が知られている。
【０００４】
ここで、上記情報伝送手段と非接触型の電力伝達手段とを備え、情報の伝送と電力の伝達とを非接触で行うことが可能な通信機器が登場することが考えられる。
【０００５】
このような通信機器の場合、情報伝送手段と電力伝達手段とが独立して動作するように構成すると、非接触型の電力伝達手段における電磁誘導が、情報伝送手段を用いて無線通信を行う場合のノイズ源となり、通信品質の劣化の原因となる。
【０００６】
このため、例えば、下記特許文献１では、情報伝送手段と電力伝達手段とを協調して動作するよう構成し、排他制御を行うことが提案されている。当該文献によれば、ユーザ指示に基づいて情報の伝送または電力の伝達動作を開始するにあたり、一方の手段が動作している場合には、他方の手段の動作開始を拒否したり、延期するといった制御を行うこととしている。
【先行技術文献】
【特許文献】
【０００７】
【特許文献１】特開２００１−１０２９７４号公報
【発明の概要】
【発明が解決しようとする課題】
【０００８】
しかしながら、上述のような排他制御の場合、例えば、情報伝送手段による情報の伝送中に、通信機器の二次電池の残量が危機的な状況に陥ったとしても、ただちに充電が開始されることはない。このため、情報の伝送中に二次電池の残量がなくなり、通信機器が安定して動作しなくなるといった事態が生じえる。
【０００９】
本発明は上記課題に鑑みてなされたものであり、情報伝送手段と電力伝達手段とを備える通信機器において、通信品質を維持しつつ、通信機器の安定した動作を実現することを目的とする。
【課題を解決するための手段】
【００１０】
上記の目的を達成するために本発明に係る通信機器以下のような構成を備える。即ち、
他の通信装置と無線通信を行う通信手段と、
前記他の通信装置に無線で送電する送電手段と、
前記送電手段による送電を制御する制御手段と、を有し、
前記通信手段が前記他の通信装置から無線通信を行わない期間を識別するための第１情報を受信した後であって、前記通信手段が前記他の通信装置との無線通信を停止し、かつ、前記他の通信装置が受電を必要としている状態の場合、前記制御手段は、前記第１情報に示される期間に従って、前記送電手段に前記他の通信装置に対する送電を行わせることを特徴とする。
【発明の効果】
【００１１】
本発明によれば、情報伝送手段と電力伝達手段とを備える通信機器において、通信品質を維持しつつ、通信機器の安定した動作を実現することが可能となる。
【図面の簡単な説明】
【００１２】
【図１】本発明の第１の実施形態にかかる通信機器を備える通信システムの一例を示す図である。
【図２】Ｐｏｒｔ機器とＭｏｂｉｌｅ機器の機能構成を示す図である。
【図３】Ｐｏｒｔ機器とＭｏｂｉｌｅ機器との間における、無線通信／充電処理の概要を説明するための図である。
【図４】Ａｃｔｉｖｅ期間及びＳｌｅｅｐ期間それぞれにおいて実行される処理の内容を時系列に示した図である。
【図５】Ｍｏｂｉｌｅ機器における無線通信／充電処理の流れを示す図である。
【図６】Ｐｏｒｔ機器における無線通信／充電処理の流れを示す図である。
【図７】本発明の第２の実施形態にかかるＰｏｒｔ機器とＭｏｂｉｌｅ機器の機能構成を示す図である。
【図８】Ｍｏｂｉｌｅ機器における無線通信／充電処理の流れを示す図である。
【図９】Ｐｏｒｔ機器における無線通信／充電処理の流れを示す図である。
【図１０】本発明の第３の実施形態にかかるＰｏｒｔ機器とＭｏｂｉｌｅ機器の機能構成を示す図である。
【図１１】本発明の第３の実施形態にかかるＰｏｒｔ機器とＭｏｂｉｌｅ機器の機能構成を示す図である。
【発明を実施するための形態】
【００１３】
以下、図面を参照しながら、本発明の好適な実施の形態について説明する。
【００１４】
［第１の実施形態］
＜１．通信システムの構成＞
図１は、本発明の第１の実施形態にかかる通信機器を備える通信システムの一例を示す図である。
【００１５】
図１において、１０１はＰｏｒｔ機器（通信機器）であり、電磁結合を用いて近接無線通信を行う情報伝送手段として、ＮＦＣ技術を利用したＮＦＣ通信手段を備える。また、非接触型の電力伝達手段として、充電用電力供給部を備える。
【００１６】
１０２はディジタルカメラ等のＭｏｂｉｌｅ機器（通信機器）であり、Ｐｏｒｔ機器１０１と同様に、ＮＦＣ通信手段を備える。また、非接触型の電力伝達手段して、充電用電力受領部を備える。
【００１７】
１０３はディスプレイであり、有線通信路１０４を介してＰｏｒｔ機器１０１と通信可能に接続されている。
【００１８】
かかる構成により、通信システム１００では、Ｍｏｂｉｌｅ機器１０２をＰｏｒｔ機器１０１に近づけるだけで、Ｍｏｂｉｌｅ機器１０２内に格納された画像がＰｏｒｔ機器１０１に伝送される。この結果、ユーザは、Ｍｏｂｉｌｅ機器１０２内の画像を簡単にディスプレイ１０３上に表示させることができる。また、あわせてＭｏｂｉｌｅ機器１０２内の二次電池（バッテリ）を充電することができる。
【００１９】
＜２．通信機器の機能構成＞
図２は、Ｐｏｒｔ機器１０１とＭｏｂｉｌｅ機器１０２の機能構成を示す図である。図２において、２００、２１０は無線通信用の誘導コイル部であり、２０１、２１１はＮＦＣ技術を用いた無線通信処理を制御するＮＦＣチップである。誘導コイル部２００、２１０及びＮＦＣチップ２０１、２１１は、各通信機器のＮＦＣ通信手段を構成する。
【００２０】
２０６、２１６は、充電用の誘導コイル部であり、２０７は充電用電力供給部、２１７は充電用電力受領部である。これらは、各通信機器における非接触型の電力伝達手段を構成する。
【００２１】
また、２１９は二次電池（バッテリ）であり、２１８は、電力伝達手段により伝達された電力を用いて、二次電池２１９の充電制御を行うチャージコントローラである。
【００２２】
Ｐｏｒｔ機器１０１において、２０２はＰｏｒｔ機器１０１全体の制御を司るＨｏｓｔＣＰＵである。２０３はディスプレイ１０３との有線通信を司る外部インタフェース制御部である。
【００２３】
また、２０４はＲＯＭであり、後述する無線通信／充電処理を実現するためのプログラムや該プログラムを実行する際に用いる各種データを格納する。２０５はＲＡＭであり、ＨｏｓｔＣＰＵ２０２がＲＯＭ２０４に格納されたプログラムを実行する際の作業領域を提供する。
【００２４】
同様に、Ｍｏｂｉｌｅ機器１０２において、２１２はＭｏｂｉｌｅ機器１０２全体の制御を司るＨｏｓｔＣＰＵである。２１３は、Ｍｏｂｉｌｅ機器１０２をディジタルカメラとして機能させるディジタルカメラ機能コントローラである。
【００２５】
また、２１４はＲＯＭであり、後述する無線通信／充電処理を実現するためのプログラムや該プログラムを実行する際に用いる各種データを格納する。２１５はＲＡＭであり、ＨｏｓｔＣＰＵ２１２がＲＯＭ２１４に格納されたプログラムを実行する際の作業領域を提供する。
【００２６】
＜３．無線通信／充電処理の概要＞
続いて、Ｐｏｒｔ機器１０１とＭｏｂｉｌｅ機器１０２との間における、無線通信／充電処理の概要について説明する。
【００２７】
図３は、Ｐｏｒｔ機器１０１とＭｏｂｉｌｅ機器１０２との間における、無線通信／充電処理の概要を説明するための図である。
【００２８】
図３（１）は、ＮＦＣ通信手段を用いてＰｏｒｔ機器１０１とＭｏｂｉｌｅ機器１０２とが無線によりデータ（画像）の伝送を行う場合のタイミングを示した図である。図３（１）において、３０１は無線通信状態がＡｃｔｉｖｅ状態（Ｍｏｂｉｌｅ機器１０２からＰｏｒｔ機器１０１へのデータ伝送が行われている状態）を示している。３０２は無線通信状態がＳｌｅｅｐ状態（Ｍｏｂｉｌｅ機器１０２からＰｏｒｔ機器１０１へのデータ伝送が行われていない状態）を示している。
【００２９】
図３（１）に示すように、Ｐｏｒｔ機器１０１とＭｏｂｉｌｅ機器１０２とは、一定の伝送周期（ＮＦＣデータ伝送周期）３１０で、Ａｃｔｉｖｅ状態となるように制御される（第１の制御手段）。なお、ＮＦＣデータ伝送周期３１０内においてＡｃｔｉｖｅ状態となっている伝送期間（Ａｃｔｉｖｅ期間３１１）は、ＮＦＣデータ伝送周期３１０内においてＭｏｂｉｌｅ機器１０２からＰｏｒｔ機器１０１に伝送されるデータの量（情報量）に応じて変わる。
【００３０】
一方、図３（２）は、電力伝達手段を用いて電力を伝達することで、Ｍｏｂｉｌｅ機器１０２内の二次電池２１９を充電する場合のタイミングを示した図である。図３（２）において、３０３はＰｏｒｔ機器１０１がＭｏｂｉｌｅ機器１０２に電力を供給し、Ｍｏｂｉｌｅ機器が充電されている状態を示している。３０４はＰｏｒｔ機器１０１からＭｏｂｉｌｅ機器への電力の供給を停止し、充電されていない状態を示している。
【００３１】
このように、本実施形態では、ＮＦＣデータ伝送周期３１０のうち、無線通信処理を行う伝送期間以外（Ａｃｔｉｖｅ期間３１１以外の非伝送期間（Ｓｌｅｅｐ期間３１２）を、電力供給の期間に割り当てるよう制御する（第２の制御手段）。
【００３２】
＜４．無線通信／充電処理の詳細＞
次に、図４〜図６を用いて、Ｐｏｒｔ機器１０１とＭｏｂｉｌｅ機器１０２との間の無線通信／充電処理の詳細について説明する。なお、本説明では、Ｐｏｒｔ機器１０１にＭｏｂｉｌｅ機器１０２に載せられた状態も非接触とする。すなわち、誘導コイル部２００、２１０及びＮＦＣチップ２０１、２１１によるＮＦＣ通信を非接触通信とする。また、誘導コイル部２０６、２１６、充電用電力供給部２０７、充電用電力受領部２１７による充電動作を非接触充電とする。
【００３３】
図４は、Ａｃｔｉｖｅ期間３１１及びＳｌｅｅｐ期間３１２それぞれにおいて実行される処理の内容を時系列に示した図である。また、図５は、Ｍｏｂｉｌｅ機器１０２における無線通信／充電処理の流れを示す図であり、図６は、Ｐｏｒｔ機器１０１における無線通信／充電処理の流れを示す図である。
【００３４】
Ｍｏｂｉｌｅ機器１０２及びＰｏｒｔ機器１０１が、それぞれ無線通信／充電処理を開始すると、Ｍｏｂｉｌｅ機器１０２では、ステップＳ５０１において、Ｐｏｒｔ機器１０１が近接状態にあるかを監視する。また、Ｐｏｒｔ機器１０１では、ステップＳ６０１において、Ｍｏｂｉｌｅ機器１０２が近接状態にあるかを監視する。
【００３５】
ステップＳ５０２及びステップＳ６０２において、互いに近接状態にある（図４の４０１）と判断された場合には、それぞれステップＳ５０３及びステップＳ６０３に進む。一方、互いに近接状態にないと判断された場合には、それぞれ、無線通信／充電処理を終了する。
【００３６】
ステップＳ５０３及びステップＳ６０３では、Ｍｏｂｉｌｅ機器１０２及びＰｏｒｔ機器１０１それぞれが、無線通信状態を監視する。
【００３７】
Ｍｏｂｉｌｅ機器１０２では、ステップＳ５０４において、無線通信状態がＡｃｔｉｖｅ状態にあるか否かを判断する。この時点で、Ｍｏｂｉｌｅ機器１０２からＰｏｒｔ機器１０１へのデータ伝送が開始され（図４の４０２）、現在データ伝送中（図４の４０３）の場合には、無線通信状態がＡｃｔｉｖｅ状態にあると判断し、ステップＳ５０５に進む。
【００３８】
一方、Ｐｏｒｔ機器１０１では、ステップＳ６０４において、無線通信状態がＳｌｅｅｐ状態にあるか否かを判断する。この時点で、Ｍｏｂｉｌｅ機器１０２からＰｏｒｔ機器１０１へのデータ伝送が開始され（図４の４０２）、現在データ伝送中（図４の４０３）の場合には、無線通信状態がＳｌｅｅｐ状態にないと判断し、ステップＳ６０５に進む。
【００３９】
Ｍｏｂｉｌｅ機器１０２では、ステップＳ５０５において、現在Ａｃｔｉｖｅ状態にある無線通信が、Ｍｏｂｉｌｅ機器１０２側の始動によるものであるか否かを判断する。
【００４０】
ここで、Ｍｏｂｉｌｅ機器１０２側の始動による無線通信とは、Ｍｏｂｉｌｅ機器１０２側がＰｏｒｔ機器１０１に対してデータを送信することで、Ｍｏｂｉｌｅ機器１０２とＰｏｒｔ機器１０１とのデータ伝送を実現している場合をいう。
【００４１】
ステップＳ５０５において、Ｍｏｂｉｌｅ機器１０２側の始動によるものであると判断した場合には、ステップＳ５０６に進む。Ｍｏｂｉｌｅ機器１０２側の始動による無線通信の場合、Ｍｏｂｉｌｅ機器１０２では、送信しようとするデータ量を認識できるため、送信に必要な期間（Ａｃｔｉｖｅ期間）を算出することができる。
【００４２】
ここで、上述のように、ＮＦＣデータ伝送周期３１０は一定であることから、Ｍｏｂｉｌｅ機器１０２では、Ａｃｔｉｖｅ期間３１１との差に基づいて、次回のＳｌｅｅｐ期間３１２を算出することができる。
【００４３】
そこで、ステップＳ５０６では、Ｍｏｂｉｌｅ機器１０２において次回のＳｌｅｅｐ期間を算出し、算出結果をＰｏｒｔ機器１０１に送信する。この結果、次回のＳｌｅｅｐ期間に関する情報が、Ｐｏｒｔ機器１０１との間で共有される（図４の４０４）。
【００４４】
一方、Ｐｏｒｔ機器１０１では、ステップＳ６０５において、現在Ｓｌｅｅｐ状態にない無線通信が、Ｐｏｒｔ機器１０１側の始動によるものであるのか否かを判断する。
【００４５】
ここで、Ｐｏｒｔ機器１０１側の始動による無線通信とは、Ｐｏｒｔ機器１０１側がＭｏｂｉｌｅ機器１０２側からデータを読み出すことで、Ｍｏｂｉｌｅ機器１０２とＰｏｒｔ機器１０１とのデータ伝送を実現している場合をいう。
【００４６】
ステップＳ６０５において、Ｐｏｒｔ機器１０１側の始動によるものでないと判断した場合には、ステップＳ６０７に進む。Ｐｏｒｔ機器１０１側の始動によるものでない場合、Ｍｏｂｉｌｅ機器１０２側で次回のＳｌｅｅｐ期間が算出されるため、Ｐｏｒｔ機器１０１では、Ｍｏｂｉｌｅ機器１０２から送信されるＳｌｅｅｐ期間に関する情報を受信することで、これを認識する。
【００４７】
そこで、ステップＳ６０７では、Ｐｏｒｔ機器１０１がＭｏｂｉｌｅ機器１０２から送信されるＳｌｅｅｐ期間に関する情報を受信する。この結果、Ｍｏｂｉｌｅ機器１０２との間で、次回のＳｌｅｅｐ期間に関する情報が共有される（図４の４０４）。
【００４８】
一方、ステップＳ６０５において、Ｐｏｒｔ機器１０１側の始動によるものであると判断した場合には、ステップＳ６０６に進む。Ｐｏｒｔ機器１０１側の始動によるものである場合、Ｐｏｒｔ機器１０１では、読み出そうとするデータ量を認識できるため、読み出しに必要な時間（Ａｃｔｉｖｅ期間）を算出することができる。上述のように、ＮＦＣデータ伝送周期３１０は一定であることから、Ｐｏｒｔ機器１０１では、Ａｃｔｉｖｅ期間３１１との差に基づいて、次回のＳｌｅｅｐ期間３１２を算出することができる。
【００４９】
そこで、ステップＳ６０６では、Ｐｏｒｔ機器１０１において次回のＳｌｅｅｐ期間を算出し、算出結果をＭｏｂｉｌｅ機器１０２に送信する。この結果、次回のＳｌｅｅｐ期間に関する情報が、Ｍｏｂｉｌｅ機器１０２との間で共有される（図４の４０４）。
【００５０】
同様に、Ｍｏｂｉｌｅ機器１０２では、ステップ５０５において、現在Ａｃｔｉｖｅ状態にある無線通信が、Ｍｏｂｉｌｅ機器１０２側の始動によるものでないと判断すると、ステップＳ５０７に進む。Ｍｏｂｉｌｅ機器１０２側の始動によるものでない場合、Ｐｏｒｔ機器１０１側で次回のＳｌｅｅｐ期間が算出されるため、Ｍｏｂｉｌｅ機器１０２では、Ｐｏｒｔ機器１０１から送信されるＳｌｅｅｐ期間に関する情報を受信することで、これを認識する。
【００５１】
ステップＳ５０６またはステップＳ５０７、及びステップＳ６０６またはステップＳ６０７の工程が終了し、Ｓｌｅｅｐ期間に関する情報が共有されると、Ｍｏｂｉｌｅ機器１０２はステップＳ５０８に進む。また、Ｐｏｒｔ機器１０１はステップＳ６０８に進む。
【００５２】
ステップＳ５０８では、充電用の電力受領を停止する。また、ステップＳ６０８では、充電用の電力供給を停止する。なお、Ｓｌｅｅｐ期間の情報の共有が完了した時点（図４の４０４）では、まだＡｃｔｉｖｅ期間中（伝送期間中）であるため、充電用の電力の供給ならびに受領は、停止した状態にある。したがって、ステップＳ５０８及びステップＳ６０８では、これを継続することとなる。
【００５３】
Ｍｏｂｉｌｅ機器１０２からＰｏｒｔ機器１０１へのデータ伝送が終了すると（図４の４０５）、Ａｃｔｉｖｅ期間３１１が終了し、Ｓｌｅｅｐ期間３１２に移行する。
【００５４】
この場合、ステップＳ５０４では、Ｍｏｂｉｌｅ機器１０２が、現在の無線通信状態がＡｃｔｉｖｅ状態でないと判断し、ステップＳ５０９に進む。同様に、ステップＳ６０４では、Ｐｏｒｔ機器１０１が、現在の無線通信状態がＳｌｅｅｐ状態であると判断し、ステップＳ６０９に進む。
【００５５】
ステップＳ５０９では、Ｍｏｂｉｌｅ機器１０２が、二次電池２１９への充電が不要な状態にあるか否かを判断する。ここで、二次電池２１９への充電が不要な状態とは、二次電池２１９への充電が十分な状態または、充電が危険な状態をいう。充電が十分か否かは、例えば、充電電荷量や、二次電池端起電力等を測定し、測定結果に基づいて判断するものとする。また、充電が危険か否かは、二次電池２１９の表面温度等を測定し、測定結果に基づいて判断するものとする。
【００５６】
なお、二次電池２１９への充電が不要な状態にあると判断された場合には、Ｐｏｒｔ機器１０１に通知する。
【００５７】
Ｐｏｒｔ機器１０１では、ステップＳ６０９において、当該通知の有無に基づいて、Ｍｏｂｉｌｅ機器１０２が充電不要な状態にあるか否かを判断する。
【００５８】
ステップＳ５０９において、二次電池２１９への充電が不要な状態にあると判断した場合には、Ｍｏｂｉｌｅ機器１０２では、ステップＳ５０８に進み、チャージコントローラ２１８に対して、充電用の電力の受領停止を指示する。チャージコントローラ２１８では、当該指示に基づいて、充電用電力受領部２１７における電力の受領を停止させる。また、Ｐｏｒｔ機器１０１では、ステップＳ６０８に進み、充電用電力供給部２０７に対して充電用の電力供給の停止を指示する。充電用電力供給部２０７では、当該指示に基づいて、充電用の電力供給を停止する。
【００５９】
一方、ステップＳ５０９において、二次電池２１９への充電が不要な状態にないと判断した場合には、Ｍｏｂｉｌｅ機器１０２では、ステップＳ５１０に進み、充電用の電力受領を開始する。また、Ｐｏｒｔ機器１０１では、ステップＳ６１０に進み、充電用の電力供給を開始する（図４の４０６）。
【００６０】
なお、Ｓｌｅｅｐ期間３１２が終了すると、再び、Ａｃｔｉｖｅ期間が開始され、上述の処理が繰り返されることとなる。
【００６１】
以上の説明から明らかなように、本実施形態では、ＮＦＣデータ伝送周期内において、無線通信処理を行うＡｃｔｉｖｅ期間以外のＳｌｅｅｐ期間を、電力供給の期間に割り当てる構成とした。
【００６２】
また、Ａｃｔｉｖｅ期間中に、次回のＳｌｅｅｐ期間を算出し、算出されたＳｌｅｅｐ期間についての情報を伝送し、Ｐｏｒｔ機器とＭｏｂｉｌｅ機器との間で、次回のＳｌｅｅｐ期間に関する情報を共有する構成とした。
【００６３】
このように、ＮＦＣデータ伝送周期内において、無線通信処理と充電処理とを排他的に制御する処理を自動で行う構成とすることで、本実施形態では、通信品質を維持しつつ、Ｍｏｂｉｌｅ機器の安定した動作を実現することが可能となる。
【００６４】
［第２の実施形態］
上記第１の実施形態では、Ｐｏｒｔ機器とＭｏｂｉｌｅ機器が、それぞれ、充電用の誘導コイル部と無線通信用の誘導コイル部を別個に設ける構成としたが、本発明はこのような構成に限定されない。
【００６５】
ＮＦＣ通信手段と電力伝達手段とは排他的に動作するよう制御されるため、充電用の誘導コイル部と無線通信用の誘導コイル部とを共有にし、ＮＦＣ通信手段として動作する場合と、電力伝達手段として動作する場合とで切り換える構成としてもよい。以下、本実施形態の詳細について説明する。
【００６６】
＜１．通信機器の機能構成＞
図７は、本実施形態にかかるＰｏｒｔ機器１０１とＭｏｂｉｌｅ機器１０２の機能構成を示す図である。なお、ここでは、上記第１の実施形態において説明したＰｏｒｔ機器１０１及びＭｏｂｉｌｅ機器１０２の機能構成（図２）との相違点について説明する。
【００６７】
本実施形態にかかるＰｏｒｔ機器１０１は、誘導コイル部７００が１つのみ配されている。また、ＮＦＣチップ７０２と充電用電力供給部７０７とに接続された回路セレクタ（切換手段）７０１を備え、誘導コイル部７００との接続の切り換えができるように構成されている。
【００６８】
これにより、Ｐｏｒｔ機器１０１では、Ｓｌｅｅｐ期間中（非伝送期間中）は、誘導コイル部７００を充電用電力供給部７０７側に切り換え、誘導コイル部７００を介して、Ｍｏｂｉｌｅ機器１０２に充電用の電力を供給するよう動作する。また、Ａｃｔｉｖｅ期間中は、誘導コイル部７００をＮＦＣチップ７０２側に切り換え、誘導コイル部７００を介して、Ｍｏｂｉｌｅ機器１０２との間でデータの伝送を行うよう動作する。
【００６９】
同様に、本実施形態にかかるＭｏｂｉｌｅ機器１０２は、誘導コイル部７１０が１つのみ配されている。また、ＮＦＣチップ７１２と充電用電力供給部７０７とに接続された回路セレクタ７０１を備え、誘導コイル部７１０との接続の切り換えができるように構成されている。
【００７０】
これにより、Ｍｏｂｉｌｅ機器１０２では、Ｓｌｅｅｐ期間中は、誘導コイル部７００を充電用電力供給部７０７側に切り換え、誘導コイル部７１０を介して、Ｍｏｂｉｌｅ機器１０２より充電用の電力を受領するよう動作する。また、Ａｃｔｉｖｅ期間中は、誘導コイル部７１０をＮＦＣチップ７１２側に切り換え、誘導コイル部７１０との接続を切り換え、誘導コイル部７１０を介してＰｏｒｔ機器１０１との間でデータの伝送を行うよう動作する。
【００７１】
＜２．無線通信／充電処理の詳細＞
次に、図８及び図９を用いて、Ｐｏｒｔ機器１０１とＭｏｂｉｌｅ機器１０２との間の無線通信／充電処理の詳細について説明する。なお、ここでは、上記第１の実施形態において説明した、Ｐｏｒｔ機器１０１とＭｏｂｉｌｅ機器１０２との間の無線通信／充電処理との相違点についてのみ説明する。
【００７２】
本実施形態にかかるＭｏｂｉｌｅ機器１０２では、ステップＳ８１０において、回路セレクタ７１１を充電用電力受領部７１７側に切り換えたうえで、充電用の電力受領を開始する。
【００７３】
また、ステップＳ８０８において充電用の電力受領を停止した後は、ステップＳ８１１に進み、回路セレクタ７１１をＮＦＣチップ７１２側に切り換える。
【００７４】
同様に、本実施形態にかかるＰｏｒｔ機器１０１では、ステップＳ９１０において、回路セレクタ７０１を充電用電力供給部７０７側に切り換えたうえで、充電用の電力供給を開始する。
【００７５】
また、ステップＳ９０８において充電用の電力供給を停止した後は、ステップＳ９１１に進み、回路セレクタ７０１をＮＦＣチップ７０２側に切り換える。
【００７６】
以上の説明から明らかなように、本実施形態では、充電用の誘導コイル部と無線通信用の誘導コイル部とを共有させ、ＮＦＣ通信手段として動作する場合と、電力伝達手段として動作する場合とで切り換える構成とした。これにより、Ｍｏｂｉｌｅ機器及びＰｏｒｔ機器を小型化することが可能となる。
【００７７】
［第３の実施形態］
上記第２の実施形態では、Ｐｏｒｔ機器１０１とＭｏｂｉｌｅ機器１０２のそれぞれの充電用の誘導コイル部と無線通信用の誘導コイル部とを共有する構成としたが、本発明はこれに限定されない。
【００７８】
例えば、Ｍｏｂｉｌｅ機器１０２の充電用の誘導コイル部と無線通信用の誘導コイル部とを共有にし、Ｐｏｒｔ機器１０１の充電用の誘導コイル部と無線通信用の誘導コイル部は、別個に設ける構成としてもよい。
【００７９】
あるいは、Ｐｏｒｔ機器１０１の充電用の誘導コイル部と無線通信用の誘導コイル部とを共有にし、Ｍｏｂｉｌｅ機器１０２の充電用の誘導コイル部と無線通信用の誘導コイル部は、別個に設ける構成としてもよい。
【００８０】
図１０は、Ｍｏｂｉｌｅ機器１０２の充電用の誘導コイル部と無線通信用の誘導コイル部とを共有にした場合の機能構成を示す図である。また、図１１は、Ｐｏｒｔ機器１０１の充電用の誘導コイル部と無線通信用の誘導コイル部とを共有にした場合の機能構成を示す図である。
【００８１】
なお、図１０及び図１１は、図２に示す機能構成と図７に示す機能構成とを組み合わせたものに等しいため、ここでは説明を省略する。
【００８２】
また、各々の機能構成を有するＰｏｒｔ機器１０１とＭｏｂｉｌｅ機器１０２との間の無線通信／充電処理の流れは、図５または図６に示すフローチャートと、図８または図９に示すフローチャートとを組み合わせに等しいため、説明は省略する。
【００８３】
以上の説明から明らかなように、本実施形態では、Ｐｏｒｔ機器またはＭｏｂｉｌｅ機器のいずれか一方について、充電用の誘導コイル部と無線通信用の誘導コイル部とを共有する構成とした。これにより、一方の通信機器については小型化を実現し、他方の通信機器については、低コスト化を実現することが可能となる。
【００８４】
［第４の実施形態］
上記第１乃至第３の実施形態では、Ａｃｔｉｖｅ状態にある無線通信が、いずれの通信機器側の始動によるものであるのかを判断し、始動元の通信機器側において、次回のＳｌｅｅｐ期間を算出する構成とした。しかしながら、次回のＳｌｅｅｐ期間をいずれの通信機器が算出するかを判断するための条件は、これに限定されない。
【００８５】
Ｓｌｅｅｐ期間を算出する通信機器を決定するにあたり、例えば、それぞれの通信機器のＲＡＭの容量（メモリ容量）を判断し、ＲＡＭの容量が少ない方の通信機器に決定するようにしてもよい。
【００８６】
あるいは、いずれかの通信機器の動作電源が二次電池であるか否かを判断し、いずれかの通信機器の動作電源が二次電池であった場合には、当該通信機器がＳｌｅｅｐ期間を算出するように構成してもよい。
【００８７】
また、いずれの通信機器も動作電源が二次電源であった場合には、更に、二次電池の残量を計測し、二次電池の残量が少ない方の通信機器がＳｌｅｅｐ期間を算出するように構成してもよい。
【００８８】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【００８９】
また、本発明の目的は、前述した実施形態の機能を実現するソフトウェアのプログラムコードを記録したコンピュータ読取可能な記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【００９０】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９１】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９２】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図１】
0005809658.tif 000002
【図２】
0005809658.tif 000003
【図３】
0005809658.tif 000004
【図４】
0005809658.tif 000005
【図５】
0005809658.tif 000006
【図６】
0005809658.tif 000007
【図７】
0005809658.tif 000008
【図８】
0005809658.tif 000009
【図９】
0005809658.tif 000010
【図１０】
0005809658.tif 000011
【図１１】
0005809658.tif 000012